(57)【要約】【課題】  比較的簡単な構造で、発光機能を有し、立体的な視認が可能で、しかも表示する画像の交換が可能な表示媒体を提供する。【解決手段】  側面または背面に光源１を配し、板状の透光性を有する材料で構成され、一方の面に光源１からの光を散乱するための凹部３ｂを有する導光部２と、導光部２の凹部３ｂが形成されている側に対向する側に配され、所要の図や文字が表示されてなる画像部４と、画像部４の上に配され表面にレリーフ状に形成されてなる造形部７ａが設けられてなる表示６とで、表示媒体を構成する。光源１から放射された光は、導光部２により、画像部４を経由して表示部６に導入され、造形部７ａから外部に散乱されるので、暗所で立体的に視認することが可能な表示媒体を提供することができる。【選択図】図２
2015004942.tif 000002
【特許請求の範囲】
【請求項１】
板状の透光性を有する材料で構成されてなる保護部と、前記保護部の一方の面に配され、透光性を有する発色剤で形成された図及び文字及の少なくともいずれかが表示されてなる、シート状の画像部と、前記画像部の前記保護部が配された側に対向する側に配され、板状の透光性を有する材料で構成され、かつ前記画像部に対向する側の面に複数の凹部及び複数の凸部の少なくともいずれか形成されてなる導光部と、前記導光部の面方向及び前記保護部側と対向する側の前記面方向及び直交する方向の少なくともいずれかに配されてなる光源を有する表示媒体であって、前記光源から放出される光の少なくとも一部が、前記導光部に形成されてなる前記凸部または前記凹部により、反射光または屈折光として、前記保護部を経由して、外部に放射されることにより、前記画像部が明視可能となることを特徴とする表示媒体。
【請求項２】
板状の透光性を有する材料で構成され、一方の面の表面の少なくとも一部に、図及び文字の少なくともいずれかの形状に突き出した状態に形成されてなる造形部を有する表示部と、板状の透光性の材料で構成され、前記表示部における前記一方の面に対向する側の面に密着して接合され、前記表示部側と対向する側の面に複数の凸部及び複数の凹部の少なくともいずれかが形成されてなる導光部と、前記導光部の面方向及び前記表示部側と対向する側の前記面方向と直交する方向の少なくともいずれかに配されてなる光源を有する表示媒体であって、前記光源から放出される光の少なくとも一部が、前記導光部に形成されてなる前記凸部または前記凹部により、反射光または屈折光として、前記表示部へ導入され、外部に放射されることにより、前記造形部が明視可能となることを特徴とする表示媒体。
【請求項３】
前記画像部のみ、または前記画像部及び前記保護部の両方が、前記表示部と前記導光部との間に配されてなり、前記造形部の形状は前記画像部に形成されてなる図または文字の形状に合わせてあることを特徴とする、請求項２に記載の表示媒体。
【請求項４】
前記表示部及び前記造形部の少なくともいずれかの、少なくとも一部に、光を散乱する粒子が分散されてなることを特徴とする、請求項２または請求項３に記載の表示媒体。
【請求項５】
前記粒子は、前記表示部を構成する材料と異なる屈折率を有する透光性の材料及び表面に光を反射する層を有する材料の少なくともいずれかで構成されてなることを特徴とする、請求項２ないし請求項４のいずれかに記載の表示媒体。
【請求項６】
前記表示部、前記造形部、前記粒子から選ばれる少なくとも一部は、発色剤を含有してなることを特徴とする、請求項２ないし請求項５のいずれかに記載の表示媒体。
【発明の詳細な説明】
【技術分野】
【０００１】  本発明は、所定の情報を表示する広告パネルなどの表示媒体に関し、特に、付設される光源により発光し、立体的に見える表示媒体に関するものである。
【背景技術】
【０００２】  従来の発光広告パネルは、光源から放射された光を導光部によって拡散し、表示部全体の面を発光させる構成となっているものが多い。この場合の表示情報は、表示部の面に印刷などの方法で形成され、視認する側は、平面となっているのが通常である。【０００３】  表面が平面である表示パネルでは、正面方向から視認する際には問題とならないが、斜め方向から視認する際には、外光などの反射により視認性が低下することがある。これに対処する方法として、表示面が平面でない広告パネルも活用されている。表面に立体的な形状を付与するには、例えばアクリル系の高分子材料のような、透光性の熱可塑性の材料を、型を用いて成形する方があり、ガソリンスタンドやコンビニエンスストアの高所位置に設置され、看板内部に光源を有する内照看板として用いられている。【０００４】  図５はこのような内照看板の従来例を示す断面図である。このように、看板の表示部１１の表面に、立体的な形状が付与されていることにより、外光などの反射による視認性の低下を抑制可能である。しかしながら、表面に立体的な形状を形成した広告パネルは、前記のように型を用いて成形されるが、成形に使用される材料が板状で、凹凸形状の凹部が空洞１２となる。このため、照明灯１０からの照明光を内部から照射するにしても、外部から照射するにしても、照明灯１０と表示部１１との間には一定の距離を確保する必要があり、強調すべき凸部の発光量が低下してしまう問題がある。【０００５】  しかも、型を用いて成形することから、金型の減価償却を考慮すると、一定以上の数の同一の表示部を製作する必要があり、情報の交換頻度が比較的高い表示物には適していないという課題がある。【０００６】  また一方で、特許文献１には、導光部を用いて視認性を向上した表示装置が、特許文献２には、微小プリズムを用いて視認性を向上した表示装置が開示されている。しかしながら、これらの表示装置は、必ずしも前記の課題に対応したものではなく、構造が複雑で製造コスト低減が困難であることなど、改善の余地がある。
【先行技術文献】
【特許文献】
【０００７】
【特許文献１】  特開２０１３−０７７４７２号公報
【特許文献２】  特開２０１１−０９００２０号公報
【発明の概要】
【発明が解決しようとする課題】
【０００８】  従って、本発明の課題は、比較的簡単な構造で、発光機能を有し、立体的な視認が可能で、しかも表示する画像の交換が可能な表示媒体を提供することにある。
【課題を解決するための手段】
【０００９】  本発明は、前記課題の解決のため、表示面の背面又は側面に光源を配置した表示媒体における、光源からの光を視認する側へ拡散し得る構成を再検討した結果、なされたものである。【００１０】  即ち、本発明は、板状の透光性を有する材料で構成されてなる保護部と、前記保護部の一方の面に配され、透光性を有する発色材で形成された図及び文字及の少なくともいずれかが表示されてなる、シート状の画像部と、前記画像部の前記保護部が配された側に対向する側に配され、板状の透光性を有する材料で構成され、かつ前記画像部に対向する側の面に複数の凹部及び複数の凸部の少なくともいずれか形成されてなる導光部と、前記導光部の面方向及び前記保護部側と対向する側の前記面方向及び直交する方向の少なくともいずれかに配されてなる光源を有する表示媒体であって、前記光源から放出される光の少なくとも一部が、前記導光部に形成されてなる前記凸部または前記凹部により、反射光または屈折光として、前記保護部を経由して、外部に放射されることにより、前記画像部が明視可能となることを特徴とする表示媒体である。【００１１】  また、本発明は、板状の透光性を有する材料で構成され、一方の面の表面の少なくとも一部に、図及び文字の少なくともいずれかの形状に突き出した状態に形成されてなる造形部を有する表示部と、板状の透光性の材料で構成され、前記表示部における前記一方の面に対向する側の面に密着して接合され、前記表示部側と対向する側の面に複数の凸部及び複数の凹部の少なくともいずれかが形成されてなる導光部と、前記導光部の面方向及び前記表示部側と対向する側の前記面方向と直交する方向の少なくともいずれかに配されてなる光源を有する表示媒体であって、前記光源から放出される光の少なくとも一部が、前記導光部に形成されてなる前記凸部または前記凹部により、反射光または屈折光として、前記表示部へ導入され、外部に放射されることにより、前記造形部が明視可能となることを特徴とする表示媒体である。【００１２】  また、前記画像部のみ、または前記画像部及び前記保護部の両方が、前記表示部と前記導光部との間に配されてなり、前記造形部の形状は前記画像部に形成されてなる図または文字の形状に合わせてあることを特徴とする、前記の表示媒体である。【００１３】  また、本発明は、前記表示部及び前記造形部の少なくともいずれかの、少なくとも一部に、光を散乱する粒子が分散されてなることを特徴とする、前記の表示媒体である。【００１４】  また、本発明は、前記粒子が、前記表示部を構成する材料と異なる屈折率を有する透光性の材料及び表面に光を反射する層を有する材料の少なくともいずれかで構成されてなることを特徴とする、前記の表示媒体である。【００１５】  また、本発明は、前記表示部、前記造形部、前記粒子から選ばれる少なくとも一部が、発色剤を含有してなることを特徴とする、前記の表示媒体である。
【発明の効果】
【００１６】  本発明の表示媒体は、透光性を有する板状の部材に発色剤で画像が形成された画像部の背面から、板状の導光部を介して照明光を照射できる構造となっているので、暗所でも明視可能であり、広告、看板やポスターとして使用できる。しかも画像部のみの交換で、表示する情報を適宜変更できる。【００１７】  また、画像部の導光部と対向する側に、画像部に形成されている図や文字と同じ形状に突き出したレリーフ状の構造を形成した表示部を配することで、画像部に形成されている画像を立体的に明視することが可能となる。この際は、画像部における導光部に対向する側に、表示部を直接配することも可能であり、保護部の配置を省略することも可能である。【００１８】  さらに、表示部にレリーフ状に突き出して形成されてなる、造形部の少なくとも一部に、光を散乱する粒子を混在させることにより、導光部を介して導入される光が散乱され、視認する角度に関わらず明視することが可能となる。粒子としては、表面に反射機能を付与したものも使用可能であるが、表示部を構成する材料とは異なる屈折率を有する透光性の材料を用いるのが望ましい。つまり、屈折率の異なる物体の界面では入射する光が臨界角の前後で、屈折したり、全反射したりするが、反射機能を有する粒子では、入射する角度によっては光を遮る結果となることもあるからである。【００１９】  なお、画像部に色彩を施して表示することも可能であるが、表示部、造形部、反射機能を有する粒子に発色剤を加えて、色彩を発現することも可能である。発色剤としては、顔料系、染料系のいずれも使用可能であるが、透光性を確保するためには、染料系を用いるのが望ましい。【００２０】  また、表示部表面に形成するレリーフ形状を有する造形部の形成方法としては、従来の型を用いる方法も可能であり、型を用いる場合は、大量に生産する必要があるが、近年実用化されつつある３Ｄプリンタを用いると、光を散乱する微細粒子を含む材料で、造形部を形成することが可能である他、単品が比較的低コストで製作可能である。
【図面の簡単な説明】
【００２１】
【図１】  本発明に係る表示媒体で導光部と画像部と保護部のみからなる一例の断面図。
【図２】  本発明に係る表示媒体で造形部が形成された表示を、保護部の上に配した一例を示す断面図。
【図３】  本発明に係る表示媒体で造形部のみで情報を表示可能な一例を示す断面図。
【図４】  本発明に係る表示媒体で、曲面上に造形部を形成した一例を示す断面図。
【図５】  内照看板の従来例を示す断面図。
【発明を実施するための形態】
【００２２】  次に本発明の実施の形態について、具体的な図を参照しながら、説明する。
【００２３】  図１は、本発明に係る表示媒体で、導光部と画像部と保護部のみからなる一例の断面図である。図１において、１は光源、２は導光部、３ａは光源からの光を画像部の方向へ散乱させるための凹部、４は画像部、５は保護部である。
【００２４】  ここに示した例では、光源１は導光部２を構成する板の面の延長上に配され、光を散乱させるために、導光部に規則的に並べられている凹部は半球形状である。これらの部材に用いられるのは、アクリル系やスチレン系の高分子材料であり、導光部の凹部が設けられた面には、蒸着などの方法で金属の膜を形成してもよい。
【００２５】  表示媒体をこのような構成とすることで、光源から放射された光は、導光部と画像部を経由して、画像部に形成された図や文字に、背面から照明光が照射され、暗所でも明確に視認できる。そして、画像部の交換により、表示する情報の変更が容易であるのは前記の通りである。
【００２６】  図２は、本発明に係る表示媒体で、造形部が形成された表示を、保護部の上に配した一例を示す断面図である。図２において、６は表示部、７ａ、７ｂ、７ｃ、７ｄは造形部、８は光散乱粒子である。ここに示した造形部７ａ、７ｂ、７ｃ、７ｄは、画像部４に表示された図や文字に合わせて、レリーフ状に形成されていて表面近傍には、光散乱粒子８が含まれる。なお、この例においては、光を散乱させるために導光部に設けられる凹凸は、一定ピッチのＶ字型の溝で構成されている。
【００２７】  例えば、表示部としてアクリル系の材料あるポリメタクリル酸メチルを用いた場合では、その屈折率は、約１．４９なので、光散乱粒子としては、例えば屈折率が約１．５４である石英ガラスや、屈折率が約１．３５であるポリテトラフルオロエチレンなどで構成された粒子を用いることができる。
【００２８】  そして、造形部７ａ、７ｂ、７ｃ、７ｄの形成には、アクリル系光硬化樹脂を材料として、３Ｄプリンタを用いることができ、金型を用いて成形することも可能である。なお、図２に示した例では、画像部４の図における上側に表示部６が直接配されているが、画像部４と表示部６との間に、図１に示した例と同様に、保護部を介在させてもよい。
【００２９】  図３は、本発明に係る表示媒体で、造形部のみで情報を表示可能な一例を示す断面図である。本発明においては、ここに示したように、導光部からの光を図における上の方向に散乱させることで、造形部の形状のみでも必要な情報を視認することができる。この際、適宜、表示部６、造形部７ａ、７ｂ、７ｃ、７ｄ、光散乱粒子８の少なくとも一部に発色剤を付加することにより、色彩を有する画像の表示が可能となる。
【００３０】  図４は、本発明に係る表示媒体で、曲面上に造形部を形成した一例を示す断面図である。図４において、７ｅ、７ｆは造形部、９は表示部であり、図示しない画像部を用いた場合の保護部としても機能する。ここでは、導光部に設けるべき凹凸は省略している。本発明によれば、このように曲面上に造形部を形成することで、平板の表示部を用いたものとは、別の視認効果を発現する表示媒体を提供することも可能である。
【００３１】  以上に説明したように、本発明によれば、従来とは異なる視認効果を有し、発信する情報の変更が容易な表示媒体を提供することができる。なお、本発明は、前記実施の形態に限定されるものではなく、本発明の分野における通常の知識を有する者であれば想到し得る、各種変形、修正を含む、本発明の要旨を逸脱しない範囲の設計変更があっても、本発明に含まれることは勿論である。
【符号の説明】
【００３２】１  …  光源    ２  …  導光部    ３ａ，３ｂ  …  凹部    ４  …  画像部
５  …  保護部  ６  …  表示部  ７ａ，７ｂ，７ｃ，７ｄ，７ｅ，７ｆ  …  造形部
８  …  光散乱粒子    ９  …  保護部または表示部    １０  …  照明灯
１１  …  表示部    １２  …  空洞
【図１】
2015004942.tif 000003
【図２】
2015004942.tif 000004
【図３】
2015004942.tif 000005
【図４】
2015004942.tif 000006
【図５】
2015004942.tif 000007